(57)【要約】      （修正有）【課題】近接ベースサービス実行時に、基地局による端末への無線リソースの割り当て処理によって引き起こされる時間損失を回避する。【解決手段】端末が、候補リソースから、近接ベースサービスのために用いられる無線リソースを選択する段階と、端末が、無線リソースを用いることによって近接ベースサービスを実行することを報告するため、かつ、無線リソースが属するネットワークのサービスサーバにより端末の近接ベースサービスを管理するために用いられる報告情報を、第１のサービスサーバへ送信する段階と、第１のサービスサーバが、端末のホームネットワークにおけるサービスサーバである段階と、を備える。【選択図】図４
2019146222.tif 000002
【特許請求の範囲】
【請求項１】
無線リソース決定方法であって、
端末が、候補リソースから、近接ベースサービスのために用いられる無線リソースを選択する段階と、
前記端末が、報告情報を第１のサービスサーバへ送信する段階であって、前記報告情報は、前記端末が前記無線リソースを用いることによって前記近接ベースサービスを実行することを報告するために用いられ、かつ、前記無線リソースが属するネットワークのサービスサーバにより前記端末の前記近接ベースサービスを管理するために用いられ、前記第１のサービスサーバは、前記端末のホームネットワークにおけるサービスサーバである、段階と
を備える
方法。
【請求項２】
端末が、候補リソースから、近接ベースサービスのために用いられる無線リソースを選択する前記段階は、
前記端末が、前記第１のサービスサーバにより送信された認可情報を受信する段階であって、前記認可情報は、前記端末が前記近接ベースサービスを実行することを許可されることを示すために用いられるネットワーク情報である、段階と、
前記端末が、前記認可情報に従って、前記候補リソースから前記無線リソースを選択する段階とを含む、請求項１に記載の方法。
【請求項３】
前記端末が、前記認可情報に従って、前記無線リソースを選択する前記段階は、
前記候補リソースに対応するネットワーク情報が前記認可情報において保持されている前記ネットワーク情報と同じである場合、前記端末が、前記候補リソースを前記無線リソースとして選択する段階を含む、請求項２に記載の方法。
【請求項４】
前記報告情報は、前記無線リソースが属する前記ネットワークのネットワーク識別子を保持する、請求項１から３のいずれか一項に記載の方法。
【請求項５】
前記方法はさらに、
前記端末が、前記無線リソースを用いることによって、前記近接ベースサービスを実行する段階を備える、請求項１から４のいずれか一項に記載の方法。
【請求項６】
前記方法はさらに、
前記端末が、前記第１のサービスサーバにより送信された応答メッセージを受信する段階であって、前記応答メッセージは、前記端末が前記無線リソースを用いることによって前記近接ベースサービスを実行し得るかを示すために用いられる、段階を備える、請求項１から４のいずれか一項に記載の方法。
【請求項７】
前記方法はさらに、
前記応答メッセージに従って、前記近接ベースサービスが前記無線リソースを用いることによって実行され得ることが決定されたとき、前記端末が、前記無線リソースを用いることによって、前記近接ベースサービスを実行する段階を備える、請求項６に記載の方法。
【請求項８】
無線リソース決定方法であって、
第１のサービスサーバが、端末により送信された報告情報を受信する段階であって、前記報告情報は、前記端末が無線リソースを用いることによって近接ベースサービスを実行することを報告するために用いられ、前記無線リソースは、前記端末により候補リソースから選択される、段階と、
前記第１のサービスサーバが、前記報告情報に従って、前記端末により前記近接ベースサービスを実行するために用いられる前記無線リソースを認識する段階と
を備える
方法。
【請求項９】
前記方法はさらに、
前記第１のサービスサーバが、前記端末が前記無線リソースを用いることによって前記近接ベースサービスを実行し得るかを検出する段階と、
前記第１のサービスサーバが、応答メッセージを前記端末へ送信する段階であって、前記応答メッセージは、前記端末が前記無線リソースを用いることによって前記近接ベースサービスを実行し得るかを示すために用いられる、段階とを備える、請求項８に記載の方法。
【請求項１０】
前記第１のサービスサーバが、前記端末が前記無線リソースを用いることによって前記近接ベースサービスを実行し得るかを検出する前記段階は、
前記報告情報がネットワーク識別子を含む場合、前記第１のサービスサーバが、前記端末が前記ネットワーク識別子に対応するネットワークの無線リソースを用いることによって前記近接ベースサービスを実行し得るかを検出する段階を含む、請求項９に記載の方法。
【請求項１１】
前記方法はさらに、
前記無線リソースが、前記第１のネットワークデバイスが属するネットワークに属さない場合、前記第１のサービスサーバが、通知情報を第２のサービスサーバへ送信する段階であって、前記通知情報は、前記端末が前記無線リソースを用いることによって前記近接ベースサービスを実行することを報告するために用いられ、前記第２のサービスサーバは、前記ネットワーク識別子に対応する前記ネットワークに属する、段階を備える、請求項１０に記載の方法。
【請求項１２】
無線リソース決定装置であって、
候補リソースから、近接ベースサービスのために用いられる無線リソースを選択するよう構成される選択ユニットと、
報告情報を第１のサービスサーバへ送信するよう構成される報告ユニットであって、前記報告情報は、端末が前記無線リソースを用いることによって前記近接ベースサービスを実行することを報告するために用いられ、かつ、前記無線リソースが属するネットワークのサービスサーバにより前記端末の前記近接ベースサービスを管理するために用いられ、前記第１のサービスサーバは、前記端末のホームネットワークにおけるサービスサーバである、報告ユニットと
を備える
装置。
【請求項１３】
前記選択ユニットは、
前記第１のサービスサーバにより送信された認可情報を受信するよう構成される受信サブユニットであって、前記認可情報は、前記端末が前記近接ベースサービスを実行することを許可されることを示すために用いられるネットワーク情報である、受信サブユニットと、
前記認可情報に従って、前記候補リソースから前記無線リソースを選択するよう構成される選択サブユニットとを有する、請求項１２に記載の装置。
【請求項１４】
前記選択サブユニットは具体的に、前記候補リソースに対応するネットワーク情報が前記認可情報において保持されている前記ネットワーク情報と同じである場合、前記候補リソースを前記無線リソースとして選択するよう構成される、請求項１３に記載の装置。
【請求項１５】
前記報告情報は、前記無線リソースが属する前記ネットワークのネットワーク識別子を保持する、請求項１２から１４のいずれか一項に記載の装置。
【請求項１６】
前記無線リソースを用いることによって前記近接ベースサービスを実行するよう構成される実行ユニットをさらに備える請求項１２から１５のいずれか一項に記載の装置。
【請求項１７】
前記第１のサービスサーバにより送信された応答メッセージを受信するよう構成される受信ユニットであって、前記応答メッセージは、前記端末が前記無線リソースを用いることによって前記近接ベースサービスを実行し得るかを示すために用いられる、受信ユニットをさらに備える請求項１２から１５のいずれか一項に記載の装置。
【請求項１８】
実行ユニットをさらに備え、
前記実行ユニットは、前記近接ベースサービスが前記無線リソースを用いることによって実行され得ることが、前記応答メッセージに従って決定されたとき、前記無線リソースを用いることによって前記近接ベースサービスを実行するよう構成される、請求項１７に記載の装置。
【請求項１９】
無線リソース決定装置であって、
端末により送信された報告情報を受信するよう構成される受信ユニットであって、前記報告情報は、前記端末が無線リソースを用いることによって近接ベースサービスを実行することを報告するために用いられ、前記無線リソースは、前記端末により候補リソースから選択される、受信ユニットと、
前記報告情報に従って、前記端末により前記近接ベースサービスを実行するために用いられる前記無線リソースを認識するよう構成される認識ユニットと
を備える
装置。
【請求項２０】
前記端末が前記無線リソースを用いることによって前記近接ベースサービスを実行し得るかを検出するよう構成される検出ユニットと、
応答メッセージを前記端末へ送信するよう構成される送信ユニットであって、前記応答メッセージは、前記端末が前記無線リソースを用いることによって前記近接ベースサービスを実行し得るかを示すために用いられる、送信ユニットとをさらに備える請求項１９に記載の装置。
【請求項２１】
前記検出ユニットは具体的に、前記報告情報がネットワーク識別子を含む場合、前記端末が前記ネットワーク識別子に対応するネットワークの無線リソースを用いることによって前記近接ベースサービスを実行し得るかを検出するよう構成される、請求項２０に記載の装置。
【請求項２２】
前記送信ユニットはさらに、前記無線リソースが、前記第１のネットワークデバイスが属するネットワークに属さない場合、通知情報を第２のサービスサーバへ送信するよう構成され、前記通知情報は、前記端末が前記無線リソースを用いることによって前記近接ベースサービスを実行することを報告するために用いられ、前記第２のサービスサーバは、前記ネットワーク識別子に対応する前記ネットワークに属する、請求項２１に記載の装置。
【請求項２３】
プロセッサと通信モジュールとを備える端末であって、
前記プロセッサは、候補リソースから、近接ベースサービスのために用いられる無線リソースを選択するよう構成され、
前記通信モジュールは、報告情報を第１のサービスサーバへ送信するよう構成され、前記報告情報は、前記端末が前記無線リソースを用いることによって前記近接ベースサービスを実行することを報告するために用いられ、かつ、前記無線リソースが属するネットワークのサービスサーバにより前記端末の前記近接ベースサービスを管理するために用いられ、前記第１のサービスサーバは、前記端末のホームネットワークにおけるサービスサーバである、
端末。
【請求項２４】
プロセッサと通信モジュールとを備えるサービスサーバであって、
前記通信モジュールは、端末により送信された報告情報を受信するよう構成され、前記報告情報は、前記端末が無線リソースを用いることによって近接ベースサービスを実行することを報告するために用いられ、前記無線リソースは、前記端末により候補リソースから選択され、
前記プロセッサは、前記報告情報に従って、前記端末により前記近接ベースサービスを実行するために用いられる前記無線リソースを認識するよう構成される、
サービスサーバ。
【発明の詳細な説明】
【技術分野】
【０００１】
本発明は、通信分野に関し、特に、無線リソース決定方法および装置、ならびにサービスサーバに関する。
【背景技術】
【０００２】
無線通信システムの急速な発展に伴い、無線通信サービスの形態が多様化となり、スペクトルリソースが不足となってきている。デバイスツーデバイス（Ｄｅｖｉｃｅ  ｔｏ  Ｄｅｖｉｃｅ、略してＤ２Ｄ）通信が、システムのスペクトル利用率を効果的に向上させ得て、Ｄ２Ｄ通信は、多くのシナリオにおいて用いられ得る。従って、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）において、Ｄ２Ｄ通信は、ロングタームエボリューション（Ｌｏｎｇ  Ｔｅｒｍ  Ｅｖｏｌｕｔｉｏｎ、略してＬＴＥ）に統合されており、近接ベースサービス（Ｐｒｏｘｉｍｉｔｙ−ｂａｓｅｄ  Ｓｅｒｖｉｃｅ、略してＰｒｏＳｅ）と称される。
【０００３】
従来技術において、毎回、端末が近接ベースサービスを実行する前に、端末によりアクセスされた基地局は、近接ベースサービスのために用いられる無線リソースを端末に割り当てる必要があり、そして、端末は、基地局により割り当てられた無線リソースを用いることによって近接ベースサービスを実行する。基地局は、近接ベースサービスのために用いられる無線リソースを各端末に割り当てる必要があり、無線リソース割り当てるたびに、時間を要する。従って、比較的大きい数量の端末が近接ベースサービスを実行する必要があるとき、無線リソースを端末に割り当てるために比較的長い期間を要する場合があり、端末による、近接ベースサービスの実行効率に影響を与えてしまう。
【発明の概要】
【０００４】
本発明の実施形態は、無線リソース決定方法および装置、ならびにサービスサーバを提供し、これにより、端末による近接ベースサービスの実行効率を向上させる。
【０００５】
第１の態様によれば、本発明の実施形態は、無線リソース決定方法を提供し、該方法は、端末が候補リソースから近接ベースサービスのために用いられる無線リソースを選択する段階と、端末が報告情報を第１のサービスサーバへ送信する段階であって、報告情報は、端末が無線リソースを用いることによって近接ベースサービスを実行することを報告するために用いられ、かつ、無線リソースが属するネットワークのサービスサーバにより端末の近接ベースサービスを管理するために用いられ、第１のサービスサーバは、端末のホームネットワークにおけるサービスサーバである、段階とを備える。
【０００６】
第１の態様に関連して、第１の態様の第１の可能な実装方式において、端末が候補リソースから近接ベースサービスのために用いられる無線リソースを選択する段階は、端末が第１のサービスサーバにより送信された認可情報を受信する段階であって、認可情報は、端末が近接ベースサービスを実行することを許可されることを示すために用いられるネットワーク情報である、段階と、端末が認可情報に従って候補リソースから無線リソースを選択する段階とを含む。
【０００７】
第１の態様の第１の可能な実装方式に関連して、第１の態様の第２の可能な実装方式において、端末が認可情報に従って無線リソースを選択する段階は、候補リソースに対応するネットワーク情報が認可情報において保持されているネットワーク情報と同じである場合、端末が候補リソースを無線リソースとして選択する段階を含む。
【０００８】
第１の態様または第１の態様の第１および第２の可能な実装方式のうちのいずれか１つに関連して、第１の態様の第３の可能な実装方式において、報告情報は、無線リソースが属するネットワークのネットワーク識別子を保持する。
【０００９】
第１の態様または第１の態様の第１から第３の可能な実装方式のうちのいずれか１つに関連して、第１の態様の第４の可能な実装方式において、方法はさらに、端末が無線リソースを用いることによって近接ベースサービスを実行する段階を備える。
【００１０】
第１の態様または第１の態様の第１から第３の可能な実装方式のうちのいずれか１つに関連して、第１の態様の第５の可能な実装方式において、方法はさらに、端末が第１のサービスサーバにより送信された応答メッセージを受信する段階であって、応答メッセージは、端末が無線リソースを用いることによって近接ベースサービスを実行し得るかを示すために用いられる、段階を備える。
【００１１】
第１の態様の第５の可能な実装方式に関連して、第１の態様の第６の可能な実装方式において、方法はさらに、近接ベースサービスが無線リソースを用いることによって実行され得ることが、応答メッセージに従って決定されたとき、端末が無線リソースを用いることによって近接ベースサービスを実行する段階を備える。
【００１２】
第２の態様によれば、本発明の実施形態は、別の無線リソース決定方法を提供し、該方法は、第１のサービスサーバが、端末により送信された報告情報を受信する段階であって、報告情報は、端末が無線リソースを用いることによって近接ベースサービスを実行することを報告するために用いられ、無線リソースは、端末により候補リソースから選択される、段階と、第１のサービスサーバが、報告情報に従って、端末により近接ベースサービスを実行するために用いられる無線リソースを認識する段階とを備える。
【００１３】
第２の態様に関連して、第２の態様の第１の可能な実装方式において、方法はさらに、第１のサービスサーバが、端末が無線リソースを用いることによって近接ベースサービスを実行し得るかを検出する段階と、第１のサービスサーバが、応答メッセージを端末へ送信する段階であって、応答メッセージは、端末が無線リソースを用いることによって近接ベースサービスを実行し得るかを示すために用いられる、段階とを備える。
【００１４】
第２の態様の第１の可能な実装方式に関連して、第２の態様の第２の可能な実装方式において、第１のサービスサーバが、端末が無線リソースを用いることによって近接ベースサービスを実行し得るかを検出する段階は、報告情報がネットワーク識別子を含む場合、第１のサービスサーバが、端末がネットワーク識別子に対応するネットワークの無線リソースを用いることによって近接ベースサービスを実行し得るかを検出する段階を含む。
【００１５】
第２の態様の第２の可能な実装方式に関連して、第２の態様の第３の可能な実装方式において、方法はさらに、無線リソースが、第１のネットワークデバイスが属するネットワークに属さない場合、第１のサービスサーバが、通知情報を第２のサービスサーバへ送信する段階であって、通知情報は、端末が無線リソースを用いることによって近接ベースサービスを実行することを報告するために用いられ、第２のサービスサーバは、ネットワーク識別子に対応するネットワークに属する、段階を備える。
【００１６】
第３の態様によれば、本発明の実施形態は、無線リソース決定装置を提供し、該装置は、候補リソースから近接ベースサービスのために用いられる無線リソースを選択するよう構成される選択ユニットと、報告情報を第１のサービスサーバへ送信するよう構成される報告ユニットであって、報告情報は、端末が無線リソースを用いることによって近接ベースサービスを実行することを報告するために用いられ、かつ、無線リソースが属するネットワークのサービスサーバにより端末の近接ベースサービスを管理するために用いられ、第１のサービスサーバは、端末のホームネットワークにおけるサービスサーバである、報告ユニットとを備える。
【００１７】
第３の態様に関連して、第３の態様の第１の可能な実装方式において、選択ユニットは、第１のサービスサーバにより送信された認可情報を受信するよう構成される受信サブユニットであって、認可情報は、端末が近接ベースサービスを実行することを許可されることを示すために用いられるネットワーク情報である、受信サブユニットと、認可情報に従って、候補リソースから、無線リソースを選択するよう構成される選択サブユニットとを有する。
【００１８】
第３の態様の第１の可能な実装方式に関連して、第３の態様の第２の可能な実装方式において、選択サブユニットは具体的に、候補リソースに対応するネットワーク情報が認可情報において保持されているネットワーク情報と同じである場合、候補リソースを無線リソースとして選択するよう構成される。
【００１９】
第３の態様または第３の態様の第１および第２の可能な実装方式のうちのいずれか１つに関連して、第３の態様の第３の可能な実装方式において、報告情報は、無線リソースが属するネットワークのネットワーク識別子を保持する。
【００２０】
第３の態様または第３の態様の第１から第３の可能な実装方式のうちのいずれか１つに関連して、第３の態様の第４の可能な実装方式において、装置はさらに、無線リソースを用いることによって近接ベースサービスを実行するよう構成される実行ユニットを備える。
【００２１】
第３の態様または第３の態様の第１から第３の可能な実装方式のうちのいずれか１つに関連して、第３の態様の第５の可能な実装方式において、装置はさらに、第１のサービスサーバにより送信された応答メッセージを受信するよう構成される受信ユニットであって、応答メッセージは、端末が無線リソースを用いることによって近接ベースサービスを実行し得るかを示すために用いられる、受信ユニットを備える。
【００２２】
第３の態様の第５の可能な実装方式に関連して、第３の態様の第６の可能な実装方式において、装置はさらに、実行ユニットを備え、ここで、実行ユニットは、近接ベースサービスが無線リソースを用いることによって実行され得ることが、応答メッセージに従って決定されたとき、無線リソースを用いることによって近接ベースサービスを実行するよう構成される。
【００２３】
第４の態様によれば、本発明の実施形態は、別の無線リソース決定装置を提供し、該装置は、端末により送信された報告情報を受信するよう構成される受信ユニットであって、報告情報は、端末が無線リソースを用いることによって近接ベースサービスを実行することを報告するために用いられ、無線リソースは、端末により候補リソースから選択される、受信ユニットと、報告情報に従って、端末により近接ベースサービスを実行するために用いられる無線リソースを認識するよう構成される認識ユニットとを備える。
【００２４】
第４の態様に関連して、第４の態様の第１の可能な実装方式において、装置はさらに、端末が無線リソースを用いることによって近接ベースサービスを実行し得るかを検出するよう構成される検出ユニットと、応答メッセージを端末へ送信するよう構成される送信ユニットであって、応答メッセージは、端末が無線リソースを用いることによって近接ベースサービスを実行し得るかを示すために用いられる、送信ユニットとを備える。
【００２５】
第４の態様の第１の可能な実装方式に関連して、第４の態様の第２の可能な実装方式において、検出ユニットは具体的に、報告情報がネットワーク識別子を含む場合、端末がネットワーク識別子に対応するネットワークの無線リソースを用いることによって近接ベースサービスを実行し得るかを検出するよう構成される。
【００２６】
第４の態様の第２の可能な実装方式に関連して、第４の態様の第３の可能な実装方式において、送信ユニットはさらに、無線リソースが、第１のネットワークデバイスが属するネットワークに属さない場合、通知情報を第２のサービスサーバへ送信するよう構成され、ここで、通知情報は、端末が無線リソースを用いることによって近接ベースサービスを実行することを報告するために用いられ、第２のサービスサーバは、ネットワーク識別子に対応するネットワークに属する。
【００２７】
第５の態様によれば、本発明の実施形態はさらに、端末を提供し、該端末は、プロセッサと通信モジュールとを備える。プロセッサは、候補リソースから、近接ベースサービスのために用いられる無線リソースを選択するよう構成され、通信モジュールは、報告情報を第１のサービスサーバへ送信するよう構成され、ここで、報告情報は、端末が無線リソースを用いることによって近接ベースサービスを実行することを報告するために用いられ、かつ、無線リソースが属するネットワークのサービスサーバにより端末の近接ベースサービスを管理するために用いられ、第１のサービスサーバは、端末のホームネットワークにおけるサービスサーバである。
【００２８】
第６の態様によれば、本発明の実施形態はさらに、サービスサーバを提供し、該サービスサーバは、プロセッサと通信モジュールとを備える。通信モジュールは、端末により送信された報告情報を受信するよう構成され、ここで、報告情報は、端末が無線リソースを用いることによって近接ベースサービスを実行することを報告するために用いられ、無線リソースは、端末により候補リソースから選択される。プロセッサは、報告情報に従って、端末により近接ベースサービスを実行するために用いられる無線リソースを認識するよう構成される。
【００２９】
第７の態様によれば、本発明の実施形態はさらに、別の無線リソース決定方法を提供し、該方法は、第２の基地局が、第１の基地局のために無線リソースを呼び出す段階であって、無線リソースは、第１の基地局によりサービスを提供される端末により近接ベースサービスを実行するために用いられ、無線リソースおよび第２の基地局は、第２のネットワークに属し、第１の基地局は、第１のネットワークに属し、第２のネットワークは、第１のネットワークと異なる、段階と、第２の基地局が第２の通知情報を第２のサービスサーバへ送信する段階であって、第２の通知情報は、第２の基地局が第１の基地局のために無線リソースを呼び出していることを報告するために用いられ、第２のサービスサーバは、第２のネットワークに属する、段階とを備える。
【００３０】
第７の態様に関連して、第７の態様の第１の可能な実装方式において、第２の基地局が、第１の基地局のために無線リソースを呼び出す段階は、第２の基地局が、第１の基地局のために、近接ベースサービスに利用可能な候補リソースを呼び出す段階であって、候補リソースは、無線リソースを含む、段階を含む。
【００３１】
第７の態様または第７の態様の第１の可能な実装方式に関連して、第７の態様の第２の可能な実装方式において、第２の通知情報は、第１のネットワークのネットワーク識別子を保持する。
【００３２】
第７の態様または第７の態様の第１および第２の可能な実装方式のうちのいずれか１つに関連して、第７の態様の第３の可能な実装方式において、第２の通知情報は、無線リソースの呼び出し情報を保持する。
【００３３】
第７の態様の第３の可能な実装方式に関連して、第７の態様の第４の可能な実装方式において、呼び出し情報は、無線リソースの周波数、無線リソースの帯域幅、または無線リソースの呼び出し期間という情報のうち少なくとも１種類を含む。
【００３４】
第８の態様によれば、本発明の実施形態はさらに、別の無線リソース決定方法を提供し、該方法は、第２のサービスサーバが、第２の基地局により送信された第２の通知情報を受信する段階であって、第２の通知情報は、第２の基地局が第１の基地局のために無線リソースを呼び出すことを報告するために用いられ、これにより、第１の基地局にアクセスする端末は、無線リソースを用いることによって近接ベースサービスを実行し、第２の基地局および第２のサービスサーバは、第２のネットワークに属し、第１の基地局および第１のサービスサーバは、第１のネットワークに属し、第２のネットワークは、第１のネットワークと異なる、段階と、第２のサービスサーバが、第１の通知情報を第１のサービスサーバへ送信する段階であって、第１の通知情報は、ターゲットネットワークリソースが第１の基地局のために呼び出されていることを報告するために用いられる、段階とを備える。
【００３５】
第８の態様に関連して、第８の態様の第１の可能な実装方式において、第２のサービスサーバが第１の通知情報を第１のサービスサーバへ送信する段階は、第２の通知情報が第１のネットワークのネットワーク識別子を保持する場合、第２のサービスサーバが、ネットワーク識別子に従って第１のサービスサーバを決定する段階と、第２のサービスサーバが、第１のサービスサーバを決定した後に、第１の通知情報を第１のサービスサーバへ送信する段階とを含む。
【００３６】
第９の態様によれば、本発明の実施形態はさらに、別の無線リソース決定装置を提供し、該装置は、第１の基地局のために無線リソースを呼び出すよう構成される呼び出しユニットであって、無線リソースは、第１の基地局によりサービスを提供される端末により近接ベースサービスを実行するために用いられ、無線リソースおよび第２の基地局は、第２のネットワークに属し、第１の基地局は、第１のネットワークに属し、第２のネットワークは第１のネットワークと異なる、呼び出しユニットと、第２の通知情報を第２のサービスサーバへ送信するよう構成され通知ユニットであって、第２の通知情報は、第２の基地局が第１の基地局のために無線リソースを呼び出していることを報告するために用いられ、第２のサービスサーバは、第２のネットワークに属する、通知ユニットとを備える。
【００３７】
第９の態様に関連して、第９の態様の第１の可能な実装方式において、呼び出しユニットは具体的に、第１の基地局のために、近接ベースサービスに利用可能な候補リソースを呼び出すよう構成され、ここで、候補リソースは、無線リソースを含む。
【００３８】
第９の態様または第９の態様の第１の可能な実装方式に関連して、第９の態様の第２の可能な実装方式において、第２の通知情報は、第１のネットワークのネットワーク識別子を保持する。
【００３９】
第９の態様または第９の態様の第１および第２の可能な実装方式のうちのいずれか１つに関連して、第９の態様の第３の可能な実装方式において、第２の通知情報は、無線リソースの呼び出し情報を保持する。
【００４０】
第９の態様の第３の可能な実装方式に関連して、第９の態様の第４の可能な実装方式において、呼び出し情報は、無線リソースの周波数、無線リソースの帯域幅、または無線リソースの呼び出し期間という情報のうち少なくとも１種類を含む。
【００４１】
第１０の態様によれば、本発明の実施形態はさらに、別の無線リソース決定装置を提供し、該装置は、第２の基地局により送信された第２の通知情報を受信するよう構成される受信ユニットであって、第２の通知情報は、第２の基地局が第１の基地局のために無線リソースを呼び出すことを報告するために用いられ、これにより、第１の基地局にアクセスする端末は、無線リソースを用いることによって近接ベースサービスを実行し、第２の基地局および第２のサービスサーバは、第２のネットワークに属し、第１の基地局および第１のサービスサーバは、第１のネットワークに属し、第２のネットワークは第１のネットワークと異なる、受信ユニットと、第１の通知情報を第１のサービスサーバへ送信するよう構成される送信ユニットであって、第１の通知情報は、ターゲットネットワークリソースが第１の基地局のために呼び出されていることを報告するために用いられる、送信ユニットとを備える。
【００４２】
第１０の態様に関連して、第１０の態様の第１の可能な実装方式に関連して、送信ユニットは、第２の通知情報が第１のネットワークのネットワーク識別子を保持する場合、ネットワーク識別子に従って、第１のサービスサーバを決定するよう構成される決定サブユニットと、第１のサービスサーバが決定された後に、第１の通知情報を第１のサービスサーバへ送信するよう構成される送信サブユニットとを有する。
【００４３】
第１１の態様によれば、本発明の実施形態はさらに、別の無線リソース決定方法を提供し、該方法は、第１の基地局が、第２の基地局から、近接ベースサービスのために用いられる無線リソースを呼び出す段階であって、第２の基地局は、第２のネットワークに属し、第１の基地局は、第１のネットワークに属し、第２のネットワークは、第１のネットワークと異なる、段階と、第１の基地局が、無線リソースを、第１の基地局によりサービスを提供される端末に割り当てる段階であって、無線リソースは、端末により無線リソースを用いることによって近接ベースサービスを実行するために用いられる、段階とを備える。
【００４４】
第１１の態様に関連して、第１１の態様の第１の可能な実装方式において、方法はさらに、第１の基地局が、第３の通知情報を第１のサービスサーバへ送信する段階であって、第３の通知情報は、第１の基地局が第２のネットワークから無線リソースを呼び出していることを報告するために用いられ、第１のサービスサーバは、第１のネットワークに属する、段階を備える。
【００４５】
第１１の態様に関連して、第１１の態様の第２の可能な実装方式において、第１の基地局が、第２の基地局から、近接ベースサービスのために用いられる無線リソースを呼び出す段階は、第１の基地局が、第２の基地局とのネゴシエーションを通して、第２の基地局の、近接ベースサービスに利用可能な候補リソースから、無線リソースを選択する段階を含む。
【００４６】
第１１の態様または第１１の態様の第１および第２の可能な実装方式のうちのいずれか１つに関連して、第１１の態様の第３の可能な実装方式において、第３の通知情報は、第２のネットワークのネットワーク識別子を保持する。
【００４７】
第１１の態様または第１１の態様の第１から第３の可能な実装方式のうちのいずれか１つに関連して、第１１の態様の第４の可能な実装方式において、第３の通知情報は、無線リソースの呼び出し情報を保持する。
【００４８】
第１１の態様の第４の可能な実装方式に関連して、第１１の態様の第５の可能な実装方式において、呼び出し情報は、無線リソースの周波数、無線リソースの帯域幅、または無線リソースの呼び出し期間という情報のうち少なくとも１種類を含む。
【００４９】
第１２の態様によれば、本発明の実施形態はさらに別の無線リソース決定方法を提供し、該方法は、第１のサービスサーバが、第１の基地局により送信された第３の通知情報を受信する段階であって、第３の通知情報は、第１の基地局が第２のネットワークから無線リソースを呼び出していることを報告するために用いられ、これにより、第１の基地局にアクセスする端末は、無線リソースを用いることによって近接ベースサービスを実行し、第１のサービスサーバおよび第１の基地局は、第１のネットワークに属し、無線リソースは、第２のネットワークに属し、第２のネットワークは、第１のネットワークと異なる、段階を備える。
【００５０】
第１２の態様に関連して、第１２の態様の第１の可能な実装方式において、第２のサービスサーバが第１の通知情報を第１のサービスサーバへ送信する段階は、第３の通知情報がネットワーク識別子を保持する場合、第１のサービスサーバが、ネットワーク識別子に従って、第２のサービスサーバを決定する段階と、第１のサービスサーバが、第２のサービスサーバを決定した後に第１の通知情報を第２のサービスサーバへ送信する段階とを含む。
【００５１】
第１３の態様によれば、本発明の実施形態はさらに、別の無線リソース決定装置を提供し、該装置は、第２の基地局から近接ベースサービスのために用いられる無線リソースを呼び出すよう構成される呼び出しユニットであって、第２の基地局は、第２のネットワークに属し、第１の基地局は、第１のネットワークに属し、第２のネットワークは、第１のネットワークと異なる、呼び出しユニットと、無線リソースを、第１の基地局によりサービスを提供される端末に割り当てるよう構成される割り当てユニットであって、無線リソースは、端末により無線リソースを用いることによって近接ベースサービスを実行するために用いられる、割り当てユニットとを備える。
【００５２】
第１３の態様に関連して、第１３の態様の第１の可能な実装方式において、装置はさらに、第３の通知情報を第１のサービスサーバへ送信するよう構成される送信ユニットであって、第３の通知情報は、第１の基地局が第２のネットワークから無線リソースを呼び出していることを報告するために用いられ、第１のサービスサーバは、第１のネットワークに属する、送信ユニットを備える。
【００５３】
第１３の態様に関連して、第１３の態様の第２の可能な実装方式において、呼び出しユニットは具体的に、第２の基地局とのネゴシエーションを通して、第２の基地局の、近接ベースサービスに利用可能な候補リソースから、無線リソースを選択するよう構成される。
【００５４】
第１３の態様または第１３の態様の第１および第２の可能な実装方式のうちのいずれか１つに関連して、第１３の態様の第３の可能な実装方式において、第３の通知情報は、第２のネットワークのネットワーク識別子を保持する。
【００５５】
第１３の態様または第１３の態様の第１から第３の可能な実装方式のうちのいずれか１つに関連して、第１３の態様の第４の可能な実装方式において、第３の通知情報は、無線リソースの呼び出し情報を保持する。
【００５６】
第１３の態様の第４の可能な実装方式に関連して、第１３の態様の第５の可能な実装方式において、呼び出し情報は、無線リソースの周波数、無線リソースの帯域幅、または無線リソースの呼び出し期間という情報のうち少なくとも１種類を含む。
【００５７】
第１４の態様によれば、本発明の実施形態はさらに、別の無線リソース決定装置を提供し、該装置は、第１の基地局により送信された第３の通知情報を受信するよう構成される受信ユニットであって、第３の通知情報は、第１の基地局が第２のネットワークから無線リソースを呼び出していることを報告するために用いられ、これにより、第１の基地局にアクセスする端末は、無線リソースを用いることによって近接ベースサービスを実行し、第１のサービスサーバおよび第１の基地局は、第１のネットワークに属し、無線リソースは、第２のネットワークに属し、第２のネットワークは、第１のネットワークと異なる、受信ユニットと、第４の通知情報を第２のサービスサーバへ送信するよう構成される送信ユニットであって、第４の通知情報は、ターゲットネットワークリソースが第１の基地局のために呼び出されていることを報告するために用いられ、第１のサービスサーバは、第１のネットワークに属する、送信ユニットとを備える。
【００５８】
第１４の態様に関連して、第１４の態様の第１の可能な実装方式において、送信ユニットは、第３の通知情報がネットワーク識別子を保持する場合、ネットワーク識別子に従って、第２のサービスサーバを決定するよう構成される決定サブユニットと、第２のサービスサーバが決定された後に、第１の通知情報を第２のサービスサーバへ送信するよう構成される送信サブユニットとを有する。
【００５９】
本発明の実施形態において、端末は、候補リソースから近接ベースサービスのために用いられる無線リソースを選択し、端末は、報告情報を第１のサービスサーバへ送信する。ここで、報告情報は、端末が無線リソースを用いることによって近接ベースサービスを実行することを報告するために用いられ、かつ、無線リソースが属するネットワークのサービスサーバにより端末の近接ベースサービスを管理するために用いられ、第１のサービスサーバは、端末のホームネットワークにおけるサービスサーバである。本発明の実施形態によれば、端末は、近接ベースサービスを実行するために用いられる無線リソースを選択し、これにより、基地局による端末への無線リソースの割り当てによって引き起こされる時間損失を回避し、それにより、端末による、近接ベースサービスの実行効率を向上させる。
【図面の簡単な説明】
【００６０】
本発明の実施形態の技術的解決手段をより明確に説明するために、以下では、実施形態または従来技術を説明するために必要とされる添付の図面を簡潔に説明する。明らかに、当業者は、創造的努力なしで、これらの添付の図面から他の図面をさらに導き出し得る。
【図１】本発明の実施形態に係る無線通信システム概略構造図である。
【図２】本発明の実施形態に係る無線リソース決定方法の概略フローチャートである。
【図３】本発明の実施形態に係る無線リソース決定方法の別の概略フローチャートである。
【図４】本発明の実施形態に係る無線リソース決定方法の別の概略フローチャートである。
【図５】本発明の実施形態に係る無線リソース決定方法の別の概略フローチャートである。
【図６】本発明の実施形態に係る無線リソース決定方法の別の概略フローチャートである。
【図７】本発明の実施形態に係る無線リソース決定方法の別の概略フローチャートである。
【図８】本発明の実施形態に係る無線リソース決定方法の別の概略フローチャートである。
【図９】本発明の実施形態に係る無線リソース決定装置の概略構造図である。
【図１０】本発明の実施形態に係る無線リソース決定装置の別の概略構造図である。
【図１１】本発明の実施形態に係る無線リソース決定装置の別の概略構造図である。
【図１２】本発明の実施形態に係る無線リソース決定装置の別の概略構造図である。
【図１３】本発明の実施形態に係る無線リソース決定装置の別の概略構造図である。
【図１４】本発明の実施形態に係る無線リソース決定装置の別の概略構造図である。
【図１５】本発明の実施形態に係る端末の概略構造図である。
【図１６】本発明の実施形態に係る基地局の概略構造図である。
【図１７】本発明の実施形態に係るサービスサーバの概略構造図である。
【発明を実施するための形態】
【００６１】
本発明の実施形態において、近接ベースサービスは、近接ベース発見および近接ベース通信という２つのモードを含む。近接ベース発見では、端末は、周囲の興味のあるサービス情報を発見し得る。近接ベース発見に参加する端末は主に、ブロードキャスタおよびリスナという２つの役を担う。ブロードキャスタは、情報をブロードキャストし、リスナは、該情報をリッスンする。ブロードキャスタによりブロードキャストされた情報がリスナによりリッスンされ、情報が確実にリスナにとって必要な情報である場合、成功した近接ベース発見が実行され得る。例えば、ブロードキャスタによりブロードキャストされたコンテンツがホテルであり、リスナがホテルを探している場合、近接ベース発見は、リスナがブロードキャストされたコンテンツを受信した後に、実行され得る。
【００６２】
本発明の実施形態において、無線リソースは、周波数帯域、周波数、または無線通信のために用いられ得る同様のものを指してよい。無線リソースがネットワークに属することは、ネットワークに属する無線通信デバイスが無線リソースを用いることによって通信を実行してよいことを意味し得る。例えば、ネットワークオペレータが周波数帯域を借りてネットワーク通信を実行する場合、周波数帯域はオペレータのネットワークに属することがみなされてよい。
【００６３】
本発明の実施形態において、ネットワークは、公衆陸上移動体ネットワーク（Ｐｕｂｌｉｃ  Ｌａｎｄ  Ｍｏｂｉｌｅ  Ｎｅｔｗｏｒｋ、略してＰＬＭＮ）であってよく、ネットワークがＰＬＭＮである場合、ネットワーク識別子は、ＰＬＭＮのＰＬＭＮ  ＩＤであってよい。第１のネットワークおよび第２のネットワークは、異なるＰＬＭＮであってよく、第１のネットワークおよび第２のネットワークは、異なるオペレータによって運営されてよく、または同じオペレータによって運営されてよい。第１のネットワークに含まれる通信デバイスは、第１のネットワークデバイスに属する無線リソースを用いることによって通信を実行してよく、または、第２のネットワークへローミングして、第２のネットワークに属する無線リソースを用いて通信を実行してよい。
【００６４】
本発明の実施形態において、サービスサーバは、近接ベースサービスサーバ（ＰｒｏＳｅ  Ｆｕｎｃｔｉｏｎ）、または近接ベースサービスの実装方式に関連するネットワークデバイスであってよい。第１のサービスサーバは、第１のネットワークに属するサービスサーバであり、第２のサービスサーバは、第２のネットワークに属するサービスサーバである。
【００６５】
本発明の実施形態において、端末は、携帯電話、タブレットコンピュータ、または車載コンピュータなどのユーザ機器（Ｕｓｅｒ  Ｅｑｕｉｐｍｅｎｔ、略してＵＥ）であってよい。端末のホームネットワークは、第１のネットワークであってよい。
【００６６】
図１を参照すると、図１は、本発明の実施形態に係る無線通信システムの概略構造図である。図１に示されているように、無線通信システムは、第１のネットワーク１０と、第２のネットワーク２０とを含んでよい。第１のネットワーク１０は、第１の基地局１０１と、第１のサービスサーバ１０２とを有する。第２のネットワーク２０は、第２の基地局２０１と、第２のサービスサーバ２０２とを有する。端末３０は、第１の基地局１０１にアクセスし、第１の基地局１０１は、端末３０のためにサービスを提供する。それぞれのネットワークにおいて、無線通信は、それぞれの無線リソースを用いることによって実行される。１又は複数の第２のネットワークおよび１又は複数の第１のネットワークが存在してよく、端末３０のホームネットワークは、第１のネットワーク１０であってよい。
【００６７】
図２を参照すると、図２は、本発明の実施形態に係る無線リソース決定方法の概略フローチャートである。方法は、端末により実行されてよい。
【００６８】
段階２０１：端末が、候補リソースから、近接ベースサービスのために用いられる無線リソースを選択する。
【００６９】
予め定められた条件が満される場合、端末は、候補ネットワークリソースから、近接ベースサービスのために用いられる無線リソースを取得してよい。候補リソースは、少なくとも、近接ベースサービスに利用可能な無線リソースのグループを含み、無線リソースは、第１のネットワークに属してよく、または別の第２のネットワークに属してもよい。候補ネットワークリソースは、端末によりアクセスされた基地局により事前に端末に割り当てられてよく、または端末により近接ベースサービスを実行するために用いられている無線リソースのセットであってよい。
【００７０】
例えば、候補リソースは、近接ベースサービスに利用可能な複数の周波数を含んでよく、周波数は、第２のネットワークに属してよく、または第１のネットワークに属してよい。候補リソースは、端末によりアクセスされた基地局により端末のために構成されてよく、または別の方式において端末により取得されてよい。端末は、近接ベースサービスを実行するべく、複数の周波数から１つの周波数を選択してよい。
【００７１】
任意選択に、予め定められた条件が満されることは、端末が認可情報を受信することを意味してよい。認可情報は、端末が近接ベースサービスを実行することを許可されることを示すために用いられるネットワーク情報である。端末は、まず、第１のサービスサーバにより送信された認可情報を受信し、そして、認可情報に従って、候補リソースから無線リソースを選択してよい。概して、認可情報は、ネットワーク情報を保持してよい。端末は、候補リソースに対応するネットワーク情報が認可情報において保持されているネットワーク情報と同じである場合、候補リソースを無線リソースとして選択してよい。ネットワーク情報は、ネットワーク識別子であってよい。候補リソースに対応するネットワーク情報は、候補リソースが属するネットワークのネットワーク識別子であってよい。
【００７２】
例えば、候補リソースが３つの周波数を含む場合、該３つの周波数はそれぞれ、ネットワークＡと、ネットワークＢと、ネットワークＣとに属する。認可情報がＰＬＭＮ  ＩＤ１を保持し、ＰＬＭＮ  ＩＤ１がネットワークＡに対応する場合、端末は、ネットワークＡに属する周波数を、近接ベースサービスを実行するための周波数として選択してよい。または、認可情報がＰＬＭＮ  ＩＤ１およびＰＬＭＮ  ＩＤ２を保持し、ＰＬＭＮ  ＩＤ１がネットワークＡに対応し、かつ、ＰＬＭＮ  ＩＤ２が、ネットワークＢに対応する場合、端末は、ネットワークＡに属する周波数を、近接ベースサービスを実行するための周波数として選択してよく、または、ネットワークＢに属する周波数を、近接ベースサービスを実行するための周波数として選択してよい。ネットワークＡ、ネットワークＢ、またはネットワークＣのうちの１つは、端末のホームネットワークであってよく、他の２つのネットワークは、端末のホームネットワーク以外のネットワークである。または、ネットワークＡ、ネットワークＢ、およびネットワークＣの全ては端末のホームネットワーク以外のネットワークである。
【００７３】
段階２０２：端末が報告情報を第１のサービスサーバへ送信し、ここで、報告情報は、端末が無線リソースを用いることによって近接ベースサービスを実行することを報告するために用いられる。
【００７４】
無線リソースを選択した後に、端末は、報告情報を第１のサービスサーバへ送信し、該報告情報を用いることによって、端末が無線リソースを用いて近接ベースサービスを実行した、または実行している状況を報告してよく、これにより、無線リソースが属するネットワークのサービスサーバが、端末の近接ベースサービスを管理する。無線リソースが属するネットワークのサービスサーバは、第２のサービスサーバであってよく、または第１のサービスサーバであってよい。具体的には、無線リソースが第１のネットワークに属する場合、第１のネットワークのサービスサーバ、すなわち、第１のネットワークデバイスは、端末の近接ベースサービスを管理してよい。または、無線リソースが第２のネットワークに属する場合、第１のサービスサーバは、報告情報に含まれるコンテンツを第２のネットワークのサービスサーバ、すなわち、第２のネットワークデバイスへ転送してよく、そして、第２のサービスサーバは、端末の近接ベースサービスを管理する。端末の近接ベースサービスを管理することは、端末の近接ベースサービスに対する制御、課金、または使用量計測などの動作を含む。
【００７５】
報告情報は、無線リソースが属するネットワークのネットワーク識別子を保持してよく、ネットワーク識別子は、どの候補リソースが端末により近接ベースサービスを実行するために選択されるかを示すために用いられる。無線リソースが第２のネットワークに属する場合、ネットワーク識別子は、第２のネットワークのネットワーク識別子である。無線リソースが第１のネットワークに属する場合、ネットワーク識別子は、第１のネットワークのネットワーク識別子である。
【００７６】
例えば、端末がネットワークＡに属する候補リソースを近接ベースサービスのために用いられる無線リソースとして選択する場合、報告情報は、ＰＬＭＮ  ＩＤ１を保持してよい。または、端末がネットワークＢに属する候補リソースを近接ベースサービスのために用いられる無線リソースとして選択する場合、報告情報は、ＰＬＭＮ  ＩＤ２を保持してよい。
【００７７】
端末の近接ベースサービスに対してサービスサーバが課金または使用量計測を実行することを促進するために、報告情報はさらに、無線リソースの呼び出し情報を含んでよい。呼び出し情報は、無線リソースの使用状態を説明するために用いられる。概して、呼び出し情報は、無線リソースの周波数、無線リソースの帯域幅、または無線リソースの呼び出し期間という情報のうち少なくとも１種類を含んでよい。無線リソースの呼び出し期間は、端末により無線リソースを用いて近接ベースサービスを実行する持続時間である。
【００７８】
端末の近接ベースサービスに対してサービスサーバが課金または使用量計測を実行することを促進するために、報告情報はさらに、近接ベースサービスの種類、近接ベースサービスの開始時間および／または終了時間、ならびに同様のものを含む、近接ベースサービスについての情報を含んでよい。近接ベースサービスの種類は、公衆安全サービスおよび／または非公衆安全サービスを含む。近接ベースサービスの種類が公衆安全サービスである場合、近接ベースサービスの種類は、リレーサービス、またはグループメンバ間の発見／通信サービスであってよい。
【００７９】
報告情報をサービスサーバへ送信した後に、端末はさらに、サービスサーバにより送信された応答メッセージを受信してよい。応答メッセージは、サービスサーバが、端末により選択された無線リソースを認識していることを示してよく、かつ、端末が無線リソースを用いることによって近接ベースサービスを実行し得るかを示すためにさらに用いられてよい。
【００８０】
任意選択に、報告情報をサービスサーバへ送信することに加えて、端末はさらに、無線リソースを用いることによって近接ベースサービスを実行してよい。概して、応答メッセージを受信し、該応答メッセージに従って、近接ベースサービスが無線リソースを用いることによって実行され得ることを決定した後に、端末は、無線リソースを用いることによって近接ベースサービスを実行してよい。
【００８１】
ここで、本発明のこの実施形態において、端末により報告情報を送信することと、端末により近接ベースサービスを実行し始めることとの時系列は、限定されるものではないことに注意すべきである。端末は、報告情報を送信する前に近接ベースサービスを実行し始めてよく、または、報告情報を送信した後に近接ベースサービスを実行し始めてよい。
【００８２】
本実施形態によれば、端末は自身で近接ベースサービスのために用いられる無線リソースを選択し得て、これにより、基地局による端末への無線リソースの割り当てによって引き起こされる時間損失を回避し、それにより、端末による、近接ベースサービスの実行効率を向上させる。
【００８３】
図３を参照すると、図３は、本発明の実施形態に係る無線リソース決定方法の別の概略フローチャートである。図２に示されている方法に対応して、方法は、サービスサーバにより実行されてよい。
【００８４】
段階３０１：第１のサービスサーバが、端末により送信された報告情報を受信し、ここで、報告情報は、端末が無線リソースを用いることによって近接ベースサービスを実行することを報告するために用いられ、無線リソースは、端末により候補リソースから選択される。
【００８５】
報告情報に含まれるコンテンツおよび該コンテンツの機能については、先述の実施形態を参照されたい。詳細はここでは再び説明されない。
【００８６】
段階３０２：第１のサービスサーバが、報告情報に従って、端末により近接ベースサービスを実行するために用いられる無線リソースを認識する。
【００８７】
報告情報を受信した後に、第１のサービスサーバは、報告情報に含まれるコンテンツに従って、端末により選択された、近接ベースサービスを実行するために用いられる無線リソースを認識してよく、これにより、それに応じて端末の近接ベースサービスを管理する。例えば、無線リソースが第１のネットワークに属する場合、第１のサービスサーバは、報告情報に従って、無線リソースの周波数と端末により無線リソースを用いることによって近接ベースサービスを実行する持続時間とを認識してよく、これにより、第１のサービスサーバは、端末の近接ベースサービスに対して課金し、または使用量計測を実行してよい。
【００８８】
第１のサービスサーバはさらに、応答メッセージを端末へ送信してよい。応答メッセージは、第１のネットワークデバイスが報告情報を受信していることを示すために用いられてよい。端末は、ターゲットネットワークリソースが近接ベースサービスのために用いられ得るかを検証することができない。無線リソースが他の目的のために割り当てられていることなどの理由に起因して、無線リソースが、端末の近接ベースサービスを実行するために用いられ得ないことを防止するために、報告情報を受信した後に、第１のサービスサーバはさらに、端末が無線リソースを用いることによって近接ベースサービスを実行し得るかを検出してよく、応答メッセージまたは別のメッセージが、端末が無線リソースを用いることによって近接ベースサービスを実行し得るかを示すために用いられる。
【００８９】
報告情報がネットワーク識別子を含む場合、第１のサービスサーバは、端末がネットワーク識別子に対応するネットワークの無線リソースを用い得るかを検出し、応答情報を用いることによって検出結果を端末へ送信する。
【００９０】
例えば、第１のサービスサーバが、ネットワーク識別子に従って、無線リソースが第２のネットワークに属することを決定する場合、第１のサービスサーバは、第２のネットワークに属する第２のサービスサーバとの相互作用を通して、端末が無線リソースを用いることによって近接ベースサービスを実行し得るかを決定してよい。
【００９１】
端末が無線リソースを用いることによって近接ベースサービスを実行し得ることを決定した後に、ネットワーク識別子に従って、無線リソースが第１のネットワークに属さないが第２のネットワークに属することを決定した場合、第１のサービスサーバはさらに、通知情報を第２のサービスサーバへ送信してよい。通知情報は、端末が無線リソースを用いることによって近接ベースサービスを実行することを報告するために用いられる。従って、無線リソースが第２のネットワークに属する場合、第２のサービスサーバは、無線リソースを用いる近接ベースサービスに対して、課金しまたは使用量計測を実行してよい。
【００９２】
本実施形態によれば、端末は自身で近接ベースサービスのために用いられる無線リソースを選択し得て、これにより、基地局による端末への無線リソースの割り当てによって引き起こされる時間損失を回避し、それにより、端末による、近接ベースサービスの実行効率を向上させる。
【００９３】
図４を参照すると、図４は、本発明の実施形態に係る無線リソース決定方法の別の概略フローチャートである。以下ではさらに、具体的な例を参照して本発明を説明する。
【００９４】
段階４０１：第１のサービスサーバが、認可情報を端末へ送信し、ここで、認可情報は、ネットワーク識別子を保持する。
【００９５】
段階４０２：ネットワークＡのネットワーク識別子が認可情報において保持されているネットワーク識別子と同じである場合、端末が、ネットワークＡに属する候補リソースを、近接ベースサービスのために用いられる無線リソースとして選択する。
【００９６】
候補リソースは、端末によりアクセスされた基地局、すなわち、第１の基地局により、事前に端末に割り当てられてよい。
【００９７】
段階４０３：ネットワークＡに属する候補リソースを近接ベースサービスのために用いられる無線リソースとして選択した後に、端末が、報告情報を第１のサービスサーバへ送信する。
【００９８】
報告情報は、端末が、ネットワークＡに属する無線リソースを用いることによって近接ベースサービスを実行することを示すために用いられる。加えて、報告情報はさらに、無線リソースの周波数、無線リソースの帯域幅、または無線リソースの呼び出し期間などの情報を含んでよい。
【００９９】
段階４０４：報告情報を受信した後に、第１のサービスサーバが、端末が無線リソースを用いることによって近接ベースサービスを実行し得るかを決定し得る。
【０１００】
段階４０５：第１のサービスサーバが、応答メッセージを用いることによって決定結果を端末へ送信する。
【０１０１】
段階４０６：端末が応答メッセージを受信した後に、近接ベースサービスが無線リソースを用いることによって実行され得ることが、該応答メッセージに従って決定された場合、端末が、無線リソースを用いることによって近接ベースサービスを実行する。
【０１０２】
加えて、応答メッセージに従って、近接ベースサービスが無線リソースを用いることによって実行されることができないことが、決定された場合、端末は、候補リソースから近接ベースサービスのために用いられる無線リソースを選択してよく、すなわち、端末は、段階４０２に戻ってよい。
【０１０３】
本実施形態によれば、端末は、近接ベースサービスを実行するために用いられる無線リソースを選択し、これにより、基地局による端末への無線リソースの割り当てによって引き起こされる時間損失を回避し、それにより、端末による、近接ベースサービスの実行効率を向上させる。
【０１０４】
近接ベースサービスを実行するために用いられる無線リソースを端末が選択することに加えて、第１の基地局は、第２のネットワークに属する無線リソースを、該無線リソースとしてサービスを提供するように、端末に割り当ててよく、これにより、無線リソースは、十分に利用され得る。
【０１０５】
基地局が近接ベースサービスのために用いられる無線リソースを端末に割り当てるとき、基地局は、基地局が属するネットワークのどの無線リソースが近接ベースサービスを実行するために用いられ得るかのみを認識し得る。従って、基地局は、近接ベースサービスのために、基地局が属するネットワークの無線リソースのみを割り当て得る。例えば、モバイルオペレータＡのネットワークに属する基地局が、近接ベースサービスのために用いられる無線リソースを割り当てる場合、基地局は、モバイルオペレータＡのネットワークに属する無線リソースのみを認識し得る。従って、基地局は、近接ベースサービスのために、モバイルオペレータＡのネットワークに属する無線リソースのみを割り当て得る。同様に、モバイルオペレータＢのネットワークに属する基地局は、近接ベースサービスのために、モバイルオペレータＢに属する無線リソースのみを割り当て得る。近接ベースサービスのために端末が利用可能な無線リソースの数量を増加させるために、本発明の実施形態はさらに、無線リソース決定方法を提供する。基地局は、以下の実施形態における方法を用いて、近接ベースサービスのために用いられる無線リソースを端末に割り当ててよく、または、近接ベースサービスのために用いられる候補リソースを端末に割り当ててよい。
【０１０６】
図５を参照すると、図５は、本発明の実施形態に係る無線リソース決定方法の別の概略フローチャートである。本実施形態は、第２の基地局により実行されてよい。
【０１０７】
段階５０１：第２の基地局が、第１の基地局のために無線リソースを呼び出し、これにより、第１の基地局によりサービスを提供される端末は、無線リソースを用いることによって近接ベースサービスを実行する。
【０１０８】
第２の基地局は、第１の基地局とのネゴシエーションを通して、第２の基地局の、近接ベースサービスに利用可能な無線リソースから、第１の基地局のために無線リソースを呼び出し得る。具体的な実装方式において、第２の基地局は、第１の基地局のために無線リソースのみを呼び出してよく、または、第１の基地局のために、該無線リソースを含む複数の候補リソースグループを呼び出してよい。それぞれの候補リソースグループは、近接ベースサービスを実行するために用いられてよい。
【０１０９】
第２の基地局から無線リソースを呼び出した後に、第１の基地局は、無線リソースを第１の基地局にアクセスする端末に割り当ててよく、これにより、端末は、無線リソースを用いることによって近接ベースサービスを実行してよい。第１の基地局は、無線リソースを端末へ直接示してよく、またはそれぞれの候補リソースを端末に示してよく、そして、端末は、候補リソースから、近接ベースサービスを実行するために用いられる無線リソースを選択する。第１の基地局が無線リソースを端末へ直接割り当てる方式については、従来技術を参照されたい。代わりに、基地局がそれぞれの候補リソースを端末に示した後に、端末が候補リソースから近接ベースサービスを実行するために用いられる無線リソースを選択する具体的な方式については、先述の実施形態を参照されたい。詳細はここでは再び説明されない。
【０１１０】
段階５０２：第２の基地局が、第２の通知情報を第２のサービスサーバへ送信し、ここで、第２の通知情報は、第２の基地局が第１の基地局のために無線リソースを呼び出していることを報告するために用いられ、第２のサービスサーバは、第２のネットワークに属する。
【０１１１】
第１の基地局のために無線リソースを呼び出した後に、第２の基地局はさらに、第２の通知情報を第２のサービスサーバへ送信してよい。第２の通知情報は、第２の基地局が第１の基地局のために無線リソースを呼び出していることを報告するために用いられる。第２の通知情報は、第２のサービスサーバへ送信され、これにより、第２のサービスサーバは、無線リソースが第１の基地局のために呼び出されていることを認識し得て、それにより、課金の実行または使用量計測の実行などの、無線リソースの使用に対する後の管理を実行し、異なるデバイスが異なる目的で同じ無線リソースを用いているという理由により引き起こされる呼び出し衝突を回避する。
【０１１２】
概して、複数のネットワークが、第２の基地局が位置する領域に共存する。無線リソースが属するネットワークを第２のサービスサーバが決定することを促進するために、第２の通知情報は、第１のネットワークのネットワーク識別子を保持し得て、これにより、第２のサービスサーバは、該ネットワーク識別子に従って、無線リソースが属するネットワークを決定する。ネットワーク識別子に加えて、第２の通知情報はさらに、無線リソースの呼び出し情報を保持してよい。呼び出し情報は、無線リソースの具体的な呼び出し状態を示すために用いられ、例えば、無線リソースの周波数、無線リソースの帯域幅、または無線リソースの呼び出し期間を含み得る。
【０１１３】
本実施形態によれば、第２の基地局は、近接ベースサービスを実行するべく、無線リソースを第２のネットワークにおける端末に割り当ててよく、第２の基地局はさらに、第１の基地局との相互作用を通して、第１の基地局のために無線リソースを呼び出し得て、これにより、第１の基地局にアクセスする端末は、無線リソースを用いることによって近接ベースサービスを実行し、それにより、近接ベース通信に利用可能な無線リソースの利用率を十分に向上させる。
【０１１４】
図６を参照すると、図６は、本発明の実施形態に係る無線リソース決定方法の別の概略フローチャートである。図５に示されている方法に対応して、本実施形態は、第２のサービスサーバにより実行され得る。
【０１１５】
段階６０１：第２のサービスサーバが、第２の基地局により送信された第２の通知情報を受信し、ここで、第２の通知情報は、第２の基地局が第１の基地局のために無線リソースを呼び出すことを報告するために用いられ、これにより、第１の基地局にアクセスする端末は、無線リソースを用いることによって近接ベースサービスを実行する。
【０１１６】
第２の通知情報に含まれるコンテンツおよび該コンテンツの機能については、先述の実施形態を参照されたい。詳細はここでは再び説明されない。
【０１１７】
段階６０２：第２のサービスサーバが、第１の通知情報を第１のサービスサーバへ送信し、ここで、第１の通知情報は、ターゲットネットワークリソースが第１の基地局のために呼び出されていることを報告するために用いられる。
【０１１８】
第２の通知情報がネットワーク識別子を保持する場合、第２のサービスサーバは、ネットワーク識別子に従って第１のネットワークを決定し、該第１のネットワークに従ってさらに第１のサービスサーバをさらに決定する。第１のサービスサーバを決定した後に、第２のサービスサーバは、第１の通知情報を第１のサービスサーバへ送信する。第１の通知情報は、第１のサービスサーバへ送信され、これにより、第１のサービスサーバは、第１の基地局が近接ベースサービスを実行するべく無線リソースを呼び出していることを認識し得る。
【０１１９】
本実施形態によれば、第２のサービスサーバは、第２の通知情報を受信し、第１の通知情報を第１のサービスサーバへ送信し、これにより、第１の基地局にアクセスする端末は、無線リソースを用いることによって近接ベースサービスを実行し得て、それにより、無線リソースの利用率が十分に向上し、近接ベース通信に利用可能な無線リソースが十分に利用される。
【０１２０】
図７を参照すると、図７は、本発明の実施形態に係る無線リソース決定方法の別の概略フローチャートである。本実施形態は、第１の基地局により実行されてよい。
【０１２１】
段階７０１：第１の基地局が、第２の基地局から、近接ベースサービスのために用いられる無線リソースを呼び出す。
【０１２２】
第２の基地局は、第１の基地局とのネゴシエーションを通して、第２の基地局の、近接ベースサービスに利用可能な無線リソースから、第１の基地局のために無線リソースを呼び出してよい。具体的な実装方式において、第２の基地局は、第１の基地局のために該無線リソースのみを呼び出してよく、または、第１の基地局のために、該無線リソースを含む複数の候補リソースグループを呼び出してよい。それぞれの候補リソースグループは、近接ベースサービスを実行するために用いられてよい。
【０１２３】
段階７０２：第１の基地局が、無線リソースを、第１の基地局によりサービスを提供される端末に割り当て、これにより、端末は、無線リソースを用いることによって近接ベースサービスを実行する。
【０１２４】
第２の基地局から無線リソースを呼び出した後に、第１の基地局は、無線リソースを第１の基地局にアクセスする端末に割り当て得て、これにより、端末は、無線リソースを用いることによって近接ベースサービスを実行し得る。第１の基地局が無線リソースを端末に割り当てる方式については、従来技術を参照されたい、または先述の実施形態を参照されたい。詳細はここでは再び説明されない。 
【０１２５】
無線リソースを呼び出した後に、第１の基地局はさらに、第１の基地局が無線リソースを呼び出していることをサービスサーバに通知する必要がある。従って、図７に示されているように、方法はさらに以下を含んでよい。段階７０３：第１の基地局が、第３の通知情報を第１のサービスサーバへ送信する。
【０１２６】
第３の通知情報は、第１の基地局が第２のネットワークから無線リソースを呼び出していることを報告するために用いられ、これにより、第１のネットワークデバイスは、第１の基地局が第２のネットワークから無線リソースを呼び出していることを認識し得る。第３の通知情報は、第１のサービスサーバへ送信され、これにより、第１のサービスサーバは、無線リソースが第１の基地局のために呼び出されていることを認識し得る。
【０１２７】
概して、複数のネットワークが、第１の基地局が位置する領域に共存する。無線リソースが属するネットワークを第１のサービスサーバが決定することを促進するために、第３の通知情報は、第２のネットワークのネットワーク識別子を保持し得て、これにより、第１のサービスサーバは、該ネットワーク識別子に従って、無線リソースが属するネットワークを決定する。
【０１２８】
ネットワーク識別子に加えて、第３の通知情報はさらに、無線リソースの呼び出し情報を保持してよい。呼び出し情報は、無線リソースの具体的な呼び出し状態を示すために用いられる。例えば、呼び出し情報は、無線リソースの周波数帯域、または第１の基地局のために無線リソースを呼び出す持続時間などの情報を含んでよい。
【０１２９】
本実施形態によれば、第１のネットワークに属する無線リソースが不十分である場合、第１の基地局は、第２の基地局との相互作用を通して、近接ベースサービスに利用可能な無線リソースを呼び出し得て、これにより、第１の基地局にアクセスする端末は、無線リソースを用いることによって近接ベースサービスを実行し得て、それにより、無線リソースの利用率が向上し、近接ベース通信に利用可能な無線リソースが十分に利用される。
【０１３０】
図８を参照すると、図８は、本発明の実施形態に係る無線リソース決定方法の別の概略フローチャートである。本実施形態は、第１のサービスサーバにより実行されてよい。
【０１３１】
段階８０１：第１のサービスサーバが、第１の基地局により送信された第３の通知情報を受信し、ここで、第３の通知情報は、第１の基地局が第２のネットワークから無線リソースを呼び出していることを報告するために用いられ、これにより、第１の基地局にアクセスする端末は、無線リソースを用いることによって近接ベースサービスを実行する。
【０１３２】
第３の通知情報に含まれるコンテンツおよび該コンテンツの機能については、先述の実施形態を参照されたい。詳細はここでは再び説明されない。
【０１３３】
段階８０２：第１のサービスサーバが、第４の通知情報を第２のサービスサーバへ送信し、ここで、第４の通知情報は、ターゲットネットワークリソースが第１の基地局のために呼び出されていることを報告するために用いられ、第１のサービスサーバは、第１のネットワークに属する。
【０１３４】
第３の通知情報がネットワーク識別子を保持する場合、第１のサービスサーバは、該ネットワーク識別子に従って、第２のネットワークを決定してよく、該第２のネットワークに従って第２のサービスサーバをさらに決定してよい。第１のサービスサーバは、第２のサービスサーバを決定した後に、第４の通知情報を第２のサービスサーバへ送信してよい。第１のサービスサーバは、第４の通知情報を第２のサービスサーバへ送信し、これにより、第２のサービスサーバは、第１の基地局が近接ベースサービスを実行するべく、第２のネットワークから無線リソースを呼び出していることを認識し得る。
【０１３５】
本実施形態によれば、第１のサービスサーバは、第３の通知情報を受信し、第４の通知情報を第２のサービスサーバへ送信し、これにより、第１の基地局にアクセスする端末は、無線リソースを用いることによって近接ベースサービスを実行し得て、それにより、無線リソースの利用率が十分に向上し、近接ベース通信に利用可能な無線リソースが十分に利用される。
【０１３６】
図９を参照すると、図９は、本発明の実施形態に係る無線リソース決定装置の概略構造図である。装置は、図２に示されている無線リソース決定方法を実行するよう構成され得る。図９に示されているように、装置は、選択ユニット９０１と報告ユニット９０２とを含んでよい。
【０１３７】
選択ユニット９０１は、候補リソースから、近接ベースサービスのために用いられる無線リソースを選択するよう構成される。
【０１３８】
報告ユニット９０２は、報告情報を第１のサービスサーバへ送信するよう構成される。報告情報は、端末が無線リソースを用いることによって近接ベースサービスを実行することを報告するために用いられ、かつ、無線リソースが属するネットワークのサービスサーバにより端末の近接ベースサービスを管理するために用いられる。第１のサービスサーバは、端末のホームネットワークにおけるサービスサーバである。報告情報は、無線リソースが属するネットワークのネットワーク識別子を保持してよい。
【０１３９】
任意選択に、選択ユニット９０１は、第１のサービスサーバにより送信された認可情報を受信するよう構成される受信サブユニットであって、認可情報は、端末が近接ベースサービスを実行することを許可されることを示すために用いられるネットワーク情報である、受信サブユニットと、認可情報に従って、候補リソースから無線リソースを選択するよう構成される選択サブユニットとを有する。
【０１４０】
任意選択に、選択サブユニットは具体的に、候補リソースに対応するネットワーク情報が認可情報において保持されているネットワーク情報と同じである場合、該候補リソースを無線リソースとして選択するよう構成される。
【０１４１】
任意選択に、装置はさらに、無線リソースを用いることによって近接ベースサービスを実行するよう構成される実行ユニットを備え得る。
【０１４２】
任意選択に、装置はさらに、第１のサービスサーバにより送信された応答メッセージを受信するよう構成される受信ユニットを備え得る。応答メッセージは、端末が無線リソースを用いることによって近接ベースサービスを実行し得るかを示すために用いられる。
【０１４３】
装置が受信ユニットを含む場合、実行ユニットはさらに、近接ベースサービスが無線リソースを用いることによって実行され得ることが、応答メッセージに従って決定された場合、無線リソースを用いることによって近接ベースサービスを実行するよう構成されてよい。
【０１４４】
図１０を参照すると、図１０は、本発明の実施形態に係る無線リソース決定装置の別の概略構造図である。装置は、図３に示されている無線リソース決定方法を実行するよう構成され得る。図１０に示されているように、装置は、受信ユニット１００１と、認識ユニット１００２とを備えてよい。
【０１４５】
受信ユニット１００１は、端末により送信された報告情報を受信するよう構成される。報告情報は、端末が無線リソースを用いることによって近接ベースサービスを実行することを報告するために用いられる。無線リソースは、端末により候補リソースから選択される。
【０１４６】
認識ユニット１００２は、報告情報に従って、端末により近接ベースサービスを実行するために用いられる無線リソースを認識するよう構成される。
【０１４７】
任意選択に、装置はさらに、端末が無線リソースを用いることによって近接ベースサービスを実行し得るかを検出するよう構成される検出ユニットと、応答メッセージを端末へ送信するよう構成される送信ユニットとを備えてよい。応答メッセージは、端末が無線リソースを用いることによって近接ベースサービスを実行し得るかを示すために用いられる。
【０１４８】
任意選択に、検出ユニットは具体的に、報告情報がネットワーク識別子を含む場合、端末がネットワーク識別子に対応するネットワークの無線リソースを用いることによって近接ベースサービスを実行し得るかを検出するよう構成される。
【０１４９】
任意選択に、送信ユニットはさらに、無線リソースが第１のネットワークデバイスが属するネットワークに属さない場合、通知情報を第２のサービスサーバへ送信するよう構成される。通知情報は、端末が無線リソースを用いることによって近接ベースサービスを実行することを報告するために用いられる。第２のサービスサーバは、ネットワーク識別子に対応するネットワークに属する。
【０１５０】
図１１を参照すると、図１１は、本発明の実施形態に係る無線リソース決定装置の別の概略構造図である。装置は、図５に示されている無線リソース決定方法を実行するよう構成されてよい。
【０１５１】
図１１に示されているように、装置は、呼び出しユニット１１０１と、通知ユニット１１０２とを含んでよい。
【０１５２】
呼び出しユニット１１０１は、第１の基地局のために無線リソースを呼び出すよう構成される。無線リソースは、第１の基地局によりサービスを提供される端末により、近接ベースサービスを実行するために用いられる。無線リソースおよび第２の基地局は、第２のネットワークに属し、第１の基地局は、第１のネットワークに属し、第２のネットワークは、第１のネットワークと異なる。
【０１５３】
通知ユニット１１０２は、第２の通知情報を第２のサービスサーバへ送信するよう構成される。第２の通知情報は、第２の基地局が第１の基地局のために無線リソースを呼び出していることを報告するために用いられる。第２のサービスサーバは、第２のネットワークに属する。第２の通知情報は、無線リソースの呼び出し情報を保持してよい。呼び出し情報は、無線リソースの周波数、無線リソースの帯域幅、または無線リソースの呼び出し期間という情報のうち少なくとも１種類を含んでよい。
【０１５４】
任意選択に、呼び出しユニット１１０１は具体的に、第１の基地局のために、近接ベースサービスに利用可能な候補リソースを呼び出すよう構成される。候補リソースは、無線リソースを含む。
【０１５５】
図１２を参照すると、図１２は、本発明の実施形態に係る無線リソース決定装置の別の概略構造図である。装置は、図６に示されている無線リソース決定方法を実行するよう構成されてよい。図１２に示されているように、装置は、受信ユニット１２０１と、送信ユニット１２０２とを含んでよい。
【０１５６】
受信ユニット１２０１は、第２の基地局により送信された第２の通知情報を受信するよう構成される。第２の通知情報は、第２の基地局が第１の基地局のために無線リソースを呼び出すことを報告するために用いられ、これにより、第１の基地局にアクセスする端末は、無線リソースを用いることによって近接ベースサービスを実行する。第２の基地局および第２のサービスサーバは、第２のネットワークに属し、第１の基地局および第１のサービスサーバは、第１のネットワークに属し、第２のネットワークは、第１のネットワークと異なる。
【０１５７】
送信ユニット１２０２は、第１の通知情報を第１のサービスサーバへ送信するよう構成される。第１の通知情報は、ターゲットネットワークリソースが第１の基地局のために呼び出されていることを報告するために用いられる。
【０１５８】
任意選択に、送信ユニット１２０２は、第２の通知情報が第１のネットワークのネットワーク識別子を保持する場合、該ネットワーク識別子に従って、第１のサービスサーバを決定するよう構成される決定サブユニットと、第１のサービスサーバが決定された後に、第１の通知情報を第１のサービスサーバへ送信するよう構成される送信サブユニットとを有する。
【０１５９】
図１３を参照すると、図１３は、本発明の実施形態に係る無線リソース決定装置の別の概略構造図である。装置は、図７に示されている無線リソース決定方法を実行するよう構成されてよい。
【０１６０】
図１３に示されているように、装置は、呼び出しユニット１３０１と、割り当てユニット１３０２とを含んでよい。
【０１６１】
呼び出しユニット１３０１は、第２の基地局から、近接ベースサービスのために用いられる無線リソースを呼び出すよう構成される。第２の基地局は、第２のネットワークに属し、第１の基地局は、第１のネットワークに属し、第２のネットワークは、第１のネットワークと異なる。
【０１６２】
割り当てユニット１３０４は、無線リソースを、第１の基地局によりサービスを提供される端末に割り当てるよう構成される。無線リソースは、端末により、無線リソースを用いることによって近接ベースサービスを実行するために用いられる。
【０１６３】
任意選択に、装置はさらに、第３の通知情報を第１のサービスサーバへ送信するよう構成される送信ユニットを備える。第３の通知情報は、第１の基地局が第２のネットワークから無線リソースを呼び出していることを報告するために用いられる。第１のサービスサーバは、第１のネットワークに属する。第３の通知情報は、第２のネットワークのネットワーク識別子を保持し得る。呼び出し情報は、無線リソースの周波数、無線リソースの帯域幅、または無線リソースの呼び出し期間という情報のうち少なくとも１種類を含んでよい。
【０１６４】
任意選択に、呼び出しユニット１３０１は具体的に、第２の基地局とのネゴシエーションを通して、第２の基地局の、近接ベースサービスに利用可能な候補リソースから、無線リソースを選択するよう構成される。
【０１６５】
図１４を参照すると、図１４は、本発明の実施形態に係る無線リソース決定装置の別の概略構造図である。装置は、図８に示されている無線リソース決定方法を実行するよう構成される。図１４に示されているように、装置は、受信ユニット１４０１と、送信ユニット１４０２とを備えてよい。
【０１６６】
受信ユニット１４０１は、第１の基地局により送信された第３の通知情報を受信するよう構成される。第３の通知情報は、第１の基地局が第２のネットワークから無線リソースを呼び出していることを報告するために用いられ、これにより、第１の基地局にアクセスする端末は、無線リソースを用いることによって近接ベースサービスを実行する。第１のサービスサーバおよび第１の基地局は、第１のネットワークに属し、無線リソースは、第２のネットワークに属し、第２のネットワークは、第１のネットワークと異なる。
【０１６７】
送信ユニット１４０２は、第４の通知情報を第２のサービスサーバへ送信するよう構成される。第４の通知情報は、ターゲットネットワークリソースが第１の基地局のために呼び出されていることを報告するために用いられる。第１のサービスサーバは、第１のネットワークに属する。
【０１６８】
任意選択に、送信ユニット１４０２は、第３の通知情報がネットワーク識別子を保持する場合、該ネットワーク識別子に従って、第２のサービスサーバを決定するよう構成される決定サブユニットと、第２のサービスサーバが決定された後に、第１の通知情報を第２のサービスサーバへ送信するよう構成される送信サブユニットとを有する。
【０１６９】
図１５を参照すると、図１５は、本発明の実施形態に係る端末の概略構造図である。端末は、図１から図８のうちのいずれか１つに対応する実施形態の方法を実行してよい。
【０１７０】
図１５に示されているように、端末は、プロセッサ１５０１と、メモリ１５０２と、通信モジュール１５０３とを備えてよい。これらのコンポーネントは、１又は複数のバスを用いることによって通信を実行する。当業者は、図面に示されている端末の構造が本発明に対していかなる限定も構成しないことを理解し得る。構造は、バス形構造または星型構造であってよく、図面に示されているコンポーネントより多くの、もしくはより少ないコンポーネント、またはいくつかのコンポーネントの組み合わせ、または異なって配置されるコンポーネントをさらに含んでよい。
【０１７１】
プロセッサ１５０１は、端末のコントロールセンタであり、様々なインターフェースおよび回線を用いて端末全体の様々な部分を接続する。プロセッサ１５０１は、ソフトウェアプログラムおよび／またはメモリに記憶されているモジュールを動作させ、または実行させ、かつ、メモリに記憶されているデータを呼び出し、これにより、端末の様々な機能を実行する、および／またはデータを処理する。プロセッサは、集積回路（Ｉｎｔｅｇｒａｔｅｄ  Ｃｉｒｃｕｉｔ、略してＩＣ）を含んでよく、例えば、単一パッケージングＩＣを含んでよく、または、同じ機能または異なる機能を有する複数の接続されたパッケージングＩＣを含んでよい。例えば、プロセッサは、中央処理装置（Ｃｅｎｔｒａｌ  Ｐｒｏｃｅｓｓｉｎｇ  Ｕｎｉｔ、略してＣＰＵ）のみを含んでよく、またはＧＰＵ、デジタル信号プロセッサ（Ｄｉｇｉｔａｌ  Ｓｉｇｎａｌ  Ｐｒｏｃｅｓｓｏｒ、略してＤＳＰ）、および通信モジュール１５０３における（ベースバンドチップなどの）制御チップの組み合わせであってよい。本発明の実装方式において、ＣＰＵは、単一のコンピューティングコアであってよく、または複数のコンピューティングコアを含んでよい。
【０１７２】
通信モジュール１５０３は、通信チャネルを確立するよう構成され、これにより、端末は、通信チャネルを用いることによってリモートサーバに接続され、データをリモートサーバへ送信し得て、またはリモートサーバからデータをダウンロードし得る。通信モジュール１５０３は、例えば、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷ−ＣＤＭＡ）、および／または高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、略してＨＳＤＰＡ）のような、無線ローカルエリアネットワーク通信、Ｂｌｕｅｔｏｏｔｈ（登録商標）通信、赤外線通信、および／またはセルラ通信システム通信を実行するべく、無線ローカルエリアネットワーク（Ｗｉｒｅｌｅｓｓ  Ｌｏｃａｌ  Ａｒｅａ  Ｎｅｔｗｏｒｋ、略して無線ＬＡＮ）モジュール、Ｂｌｕｅｔｏｏｔｈ（登録商標）モジュール、またはベースバンド（Ｂａｓｅ  Ｂａｎｄ）モジュールなどの通信モジュール、および通信モジュールに対応する無線周波数（Ｒａｄｉｏ  Ｆｒｅｑｕｅｎｃｙ、略してＲＦ）回路を含んでよい。通信モジュールは、端末における様々なコンポーネントとの通信を制御するよう構成されており、ダイレクトメモリアクセス（Ｄｉｒｅｃｔ  Ｍｅｍｏｒｙ  Ａｃｃｅｓｓ）をサポートし得る。
【０１７３】
メモリ１５０２は、ソフトウェアプログラムおよびモジュールを記憶するよう構成されてよく、プロセッサは、メモリに記憶されているソフトウェアプログラムおよびモジュールを動作させ、これにより、端末の様々な機能アプリケーションを実行し、データ処理を実行する。メモリは主に、プログラム記憶領域とデータ記憶領域とを含む。プログラム記憶領域は、オペレーティングシステムと、音声再生プログラムおよび画像再生プログラムなどの、少なくとも１つの機能により必要とされるアプリケーションプログラムとを記憶してよい。データ記憶領域は、（音声データおよびアドレス帳などの）データ、または端末の使用によって生成された同様のものを記憶してよい。本発明の具体的な実装方式において、メモリは、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ランダムアクセスメモリ（Ｐｈａｓｅ  Ｃｈａｎｇｅ  ＲＡＭ、略してＰＲＡＭ）、または磁気抵抗ランダムアクセスメモリ（Ｍａｇｎｅｔｏｒｅｓｉｓｔｉｖｅ  ＲＡＭ、略してＭＲＡＭ）などの揮発性メモリを含んでよく、または、少なくとも１つの磁気記憶装置、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）などの不揮発性メモリ、または、例えば、ＮＯＲ型フラッシュメモリ（ＮＯＲ  ｆｌａｓｈ  ｍｅｍｏｒｙ）もしくはＮＡＮＤ型フラッシュメモリ（ＮＡＮＤ  ｆｌａｓｈ  ｍｅｍｏｒｙ）などのフラッシュメモリを含んでよい。不揮発性メモリは、プロセッサにより実行されるオペレーティングシステムおよびアプリケーションプログラムを記憶する。プロセッサは、不揮発性メモリから実行プログラムおよびデータをメモリへロードし、デジタルコンテンツを大規模の記憶装置に記憶する。オペレーティングシステムは、メモリ管理、記憶装置制御、および電力管理などのルーチンのシステムタスク、および、様々な種類のソフトウェアおよびハードウェアの間の通信を容易にする様々なコンポーネントおよび／またはドライバの制御および管理のために用いられる。本発明の実装方式において、オペレーティングシステムは、Ｇｏｏｇｌｅ  Ｉｎｃ．のアンドロイドシステム、Ａｐｐｌｅ  Ｉｎｃ．により開発されたｉＯＳシステム、またはＭｉｃｒｏｓｏｆｔ  Ｃｏｒｐｏｒａｔｉｏｎにより開発されたＷｉｎｄｏｗｓ（登録商標）オペレーティングシステムであってよく、または、ＶｘＷｏｒｋｓなどの内蔵オペレーティングシステムであってよい。
【０１７４】
一実施形態において、プロセッサ１５０１は、候補リソースから、近接ベースサービスのために用いられる無線リソースを選択するよう構成される。通信モジュール１５０３は、報告情報を第１のサービスサーバへ送信するよう構成される。報告情報は、端末が無線リソースを用いることによって近接ベースサービスを実行することを報告するために用いられ、かつ、無線リソースが属するネットワークのサービスサーバにより端末の近接ベースサービスを管理するために用いられる。第１のサービスサーバは、端末のホームネットワークにおけるサービスサーバである。報告情報は、無線リソースが属するネットワークのネットワーク識別子を保持する。
【０１７５】
任意選択に、通信モジュール１５０３はさらに、第１のサービスサーバにより送信された認可情報を受信するよう構成される。認可情報は、端末が近接ベースサービスを実行することを許可されることを示すために用いられるネットワーク情報である。プロセッサ１５０１はさらに、認可情報に従って、候補リソースから、無線リソースを選択するよう構成される。
【０１７６】
任意選択に、プロセッサ１５０１はさらに、候補リソースに対応するネットワーク情報が認可情報において保持されているネットワーク情報と同じである場合、候補リソースを無線リソースとして選択するよう構成される。
【０１７７】
任意選択に、通信モジュール１５０３はさらに、第１のサービスサーバにより送信された応答メッセージを受信するよう構成される。応答メッセージは、端末が無線リソースを用いることによって近接ベースサービスを実行し得るかを示すために用いられる。
【０１７８】
任意選択に、プロセッサ１５０１はさらに、無線リソースを用いることによって近接ベースサービスを実行するよう構成される。応答メッセージに従って、近接ベースサービスが無線リソースを用いることによって実行され得ることが決定された場合、端末は、無線リソースを用いることによって近接ベースサービスを実行する。
【０１７９】
図１６を参照すると、図１６は、本発明の実施形態に係る基地局の概略構造図である。サーバは、図１から図８のうちのいずれか１つに対応する実施形態の方法を実行するよう構成されてよい。
【０１８０】
図１６に示されているように、基地局は、プロセッサ１６０１と、メモリ１６０２と、通信モジュール１６０３とを備えてよい。プロセッサ１６０１と、メモリ１６０２と、通信モジュール１６０３との間の接続関係およびそれらの機能は、先述の実施形態を参照されたい。詳細はここでは再び説明されない。
【０１８１】
基地局は、先述の実施形態における第１の基地局または第２の基地局であってよい。
【０１８２】
基地局が第２の基地局である場合、一実施形態において、プロセッサ１６０１は、第１の基地局のために無線リソースを呼び出すよう構成される。無線リソースは、第１の基地局によりサービスを提供される端末により、近接ベースサービスを実行するために用いられる。無線リソースおよび第２の基地局は、第２のネットワークに属し、第１の基地局は、第１のネットワークに属し、第２のネットワークは、第１のネットワークと異なる。通信モジュール１６０３は、第２の通知情報を第２のサービスサーバへ送信するよう構成される。第２の通知情報は、第２の基地局が第１の基地局のために無線リソースを呼び出していることを報告するために用いられる。第２のサービスサーバは、第２のネットワークに属する。第２の通知情報は、第１のネットワークのネットワーク識別子を保持し得る。第２の通知情報はさらに、無線リソースの呼び出し情報を保持する。呼び出し情報は、無線リソースの周波数、無線リソースの帯域幅、または無線リソースの呼び出し期間という情報のうち少なくとも１種類を含んでよい。
【０１８３】
任意選択に、プロセッサ１６０１はさらに、第１の基地局のために、近接ベースサービスに利用可能な候補リソースを呼び出すよう構成される。候補リソースは、無線リソースを含む。
【０１８４】
基地局が第１の基地局である場合、別の実施形態において、プロセッサ１６０１は、第２の基地局から、近接ベースサービスのために用いられる無線リソースを呼び出すよう構成され、ここで、第２の基地局は、第２のネットワークに属し、第１の基地局は、第１のネットワークに属し、第２のネットワークは第１のネットワークと異なり、および、プロセッサ１６０１は、無線リソースを、第１の基地局によりサービスを提供される端末に割り当てるよう構成され、ここで、無線リソースは、端末により無線リソースを用いることによって近接ベースサービスを実行するために用いられる。
【０１８５】
任意選択に、通信モジュール１６０３はさらに、第３の通知情報を第１のサービスサーバへ送信するよう構成される。第３の通知情報は、第１の基地局が第２のネットワークから無線リソースを呼び出していることを報告するために用いられる。第１のサービスサーバは、第１のネットワークに属する。第３の通知情報は、第２のネットワークのネットワーク識別子を保持し得る。第３の通知情報は、無線リソースの呼び出し情報を保持し得る。呼び出し情報は、無線リソースの周波数、無線リソースの帯域幅、または無線リソースの呼び出し期間という情報のうち少なくとも１種類を含んでよい。
【０１８６】
任意選択に、プロセッサ１６０１はさらに、第２の基地局とのネゴシエーションを通して、第２の基地局の、近接ベースサービスに利用可能な候補リソースから、無線リソースを選択するよう構成される。
【０１８７】
図１７を参照すると、図１７は、本発明の実施形態に係るサービスサーバの概略構造図である。サーバは、図１から図８のうちのいずれか１つに対応する実施形態の方法を実行するよう構成されてよい。
【０１８８】
図１７に示されているように、サービスサーバは、プロセッサ１７０１と、メモリ１７０２と、通信モジュール１７０３とを備えてよい。プロセッサ１７０１と、メモリ１７０２と、通信モジュール１７０３との間の接続関係およびそれらの機能については、先述の実施形態を参照されたい。詳細はここでは再び説明されない。
【０１８９】
サービスサーバは、先述の実施形態における第１のサービスサーバまたは第２のサービスサーバであってよい。
【０１９０】
サービスサーバが第１のサービスサーバである場合、一実施形態において、通信モジュール１７０３は、端末により送信された報告情報を受信するよう構成される。報告情報は、端末が無線リソースを用いることによって近接ベースサービスを実行することを報告するために用いられる。無線リソースは、端末により、候補リソースから選択される。プロセッサ１７０１は、報告情報に従って、端末により近接ベースサービスを実行するために用いられる無線リソースを認識するよう構成される。
【０１９１】
任意選択に、プロセッサ１７０１はさらに、報告情報がネットワーク識別子を含む場合、端末が該ネットワーク識別子に対応するネットワークの無線リソースを用いることによって近接ベースサービスを実行し得るかを検出するよう構成される。
【０１９２】
任意選択に、通信モジュール１７０３はさらに、無線リソースが第１のネットワークデバイスが属するネットワークに属さない場合、通知情報を第２のサービスサーバへ送信するよう構成される。通知情報は、端末が無線リソースを用いることによって近接ベースサービスを実行することを報告するために用いられる。第２のサービスサーバは、ネットワーク識別子に対応するネットワークに属する。
【０１９３】
サービスサーバが第１のサービスサーバである場合、別の実施形態において、通信モジュール１７０３は、第１の基地局により送信された第３の通知情報を受信するよう構成され、ここで、第３の通知情報は、第１の基地局が第２のネットワークから無線リソースを呼び出していることを報告するために用いられ、これにより、第１の基地局にアクセスする端末は、無線リソースを用いることによって近接ベースサービスを実行し、第１のサービスサーバおよび第１の基地局は、第１のネットワークに属し、無線リソースは、第２のネットワークに属し、第２のネットワークは第１のネットワークと異なり、および、通信モジュール１７０３は、第４の通知情報を第２のサービスサーバへ送信するよう構成され、ここで、第４の通知情報は、ターゲットネットワークリソースが第１の基地局のために呼び出されていることを報告するために用いられ、第１のサービスサーバは、第１のネットワークに属する。
【０１９４】
任意選択に、プロセッサ１７０１はさらに、第３の通知情報がネットワーク識別子を保持する場合、該ネットワーク識別子に従って、第２のサービスサーバを決定するよう構成される。通信モジュール１７０３はさらに、第２のサービスサーバが決定された後に、第１の通知情報を第２のサービスサーバへ送信するよう構成される。
【０１９５】
サービスサーバが第２のサービスサーバである場合、別の実施形態において、通信モジュール１７０３は、第２の基地局により送信された第２の通知情報を受信するよう構成され、ここで、第２の通知情報は、第２の基地局が第１の基地局のために無線リソースを呼び出すことを報告するために用いられ、これにより、第１の基地局にアクセスする端末は、無線リソースを用いることによって近接ベースサービスを実行し、第２の基地局および第２のサービスサーバは、第２のネットワークに属し、第１の基地局および第１のサービスサーバは、第１のネットワークに属し、第２のネットワークは第１のネットワークと異なり、および、通信モジュール１７０３は、第１の通知情報を第１のサービスサーバへ送信するよう構成され、ここで、第１の通知情報は、ターゲットネットワークリソースが第１の基地局のために呼び出されていることを報告するために用いられる。
【０１９６】
任意選択に、プロセッサ１７０１はさらに、第２の通知情報が第１のネットワークのネットワーク識別子を保持する場合、該ネットワーク識別子に従って、第１のサービスサーバを決定するよう構成される。通信モジュール１７０３はさらに、第１のサービスサーバが決定された後に、第１の通知情報を第１のサービスサーバへ送信するよう構成される。
【０１９７】
具体的な実装方式において、本発明の実施形態はさらに、コンピュータ記憶媒体を提供する。コンピュータ記憶媒体は、プログラムを記憶し得て、プログラムが実行されたとき、本発明において提供されている無線リソース決定方法の実施形態の段階のうち一部または全部が実行され得る。記憶媒体は、磁気ディスク、光ディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、または同様のものであってよい。
【０１９８】
当業者は、本発明の実施形態の技術が、必要な一般的なハードウェアプラットフォームに加えてソフトウェアにより実装され得ることを明確に理解し得る。そのような理解に基づき、従来技術に本質的にまたは部分的に寄与する本発明の技術的解決手段は、ソフトウェア製品の形態において実装され得る。コンピュータソフトウェア製品は、ＲＯＭ／ＲＡＭ、ハードディスク、または光ディスクなどの記憶媒体に記憶されてよく、（パーソナルコンピュータ、サーバ、ネットワークデバイス、または同様のものであり得る）コンピュータデバイスに、実施形態において説明されている方法、または本発明の実施形態のいくつかの部分を実行するよう命令するためのいくつかの命令を含む。
【０１９９】
本明細書における実施形態は全て、漸進的な方式で説明されており、実施形態の同じまたは同様の部分については、これらの実施形態を参照されたい。各実施形態は、他の実施形態との違いに着目している。特に、装置、サーバ、およびシステムの実施形態は基本的に、方法の実施形態と同様であり、従って、簡潔に説明されており、関連部分については、方法の実施形態における部分的な説明を参照されたい。
【０２００】
先述の説明は、本発明の実装方式についてのものではあるが、本発明の保護範囲を限定することを意図するものではない。本発明の原理から逸脱することなく、行われたいかなる変更、同等の置き換え、および改善は、本発明の保護範囲内に含まれるものとする。
【図１】
2019146222.tif 000003
【図２】
2019146222.tif 000004
【図３】
2019146222.tif 000005
【図４】
2019146222.tif 000006
【図５】
2019146222.tif 000007
【図６】
2019146222.tif 000008
【図７】
2019146222.tif 000009
【図８】
2019146222.tif 000010
【図９】
2019146222.tif 000011
【図１０】
2019146222.tif 000012
【図１１】
2019146222.tif 000013
【図１２】
2019146222.tif 000014
【図１３】
2019146222.tif 000015
【図１４】
2019146222.tif 000016
【図１５】
2019146222.tif 000017
【図１６】
2019146222.tif 000018
【図１７】
2019146222.tif 000019
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
通信方法であって、
第１のサービスサーバが、端末から送信された報告情報を受信する段階であって、前記報告情報は、前記端末が無線リソースを用いることによって近接ベースサービスを実行することを報告するためのものであり、前記第１のサービスサーバは、前記端末のホームネットワークにおけるサーバである、段階と、
前記第１のサービスサーバが、前記報告情報に従って、前記端末により前記近接ベースサービスを実行するために用いられる前記無線リソースを認識する段階と、
前記無線リソースが、第２のサービスサーバが属するネットワークに属する場合、前記第１のサービスサーバが、前記第２のサービスサーバに通知情報を送信する段階であって、前記通知情報は、前記端末が前記無線リソースを用いることによって前記近接ベースサービスを実行することを報告するためのものである、段階と、
前記第２のサービスサーバが、前記端末の前記近接ベースサービスを管理する段階と
を備える
方法。
【請求項２】
前記報告情報は、前記無線リソースが属する前記ネットワークのネットワーク識別子を有する、請求項１に記載の方法。
【請求項３】
前記端末の前記近接ベースサービスを前記管理する段階は、
前記端末の前記近接ベースサービスを制御すること、前記端末の前記近接ベースサービスに対する課金をすること、又は、前記端末の前記近接ベースサービスに対する使用量計測をすること
のうち少なくとも１つの動作を有する、請求項１または２に記載の方法。
【請求項４】
前記方法は、
前記第１のサービスサーバが、認可情報を前記端末に送信する段階であって、前記認可情報は、前記端末が前記近接ベースサービスを実行することを許可されることを示すためのネットワーク情報である、段階をさらに備える、請求項１から３のいずれか一項に記載の方法。
【請求項５】
端末から送信された報告情報を受信し、前記報告情報に従って、前記端末により近接ベースサービスを実行するために用いられる無線リソースを認識し、前記無線リソースが、第２のサービスサーバが属するネットワークに属する場合、前記第２のサービスサーバに通知情報を送信するように構成される第１のサービスサーバであって、前記通知情報は、前記端末が前記無線リソースを用いることによって前記近接ベースサービスを実行することを報告するためのものであり、前記第１のサービスサーバは、前記端末のホームネットワークにおけるサーバである、第１のサービスサーバと、
前記端末の前記近接ベースサービスを管理するように構成される前記第２のサービスサーバと
を備える
通信システム。
【請求項６】
前記報告情報は、前記無線リソースが属する前記ネットワークのネットワーク識別子を有する、請求項５に記載の通信システム。
【請求項７】
前記第２のサービスサーバが、前記端末の前記近接ベースサービスを管理するように構成されることは、前記第２のサービスサーバが、
前記端末の前記近接ベースサービスを制御すること、前記端末の前記近接ベースサービスに対する課金をすること、又は、前記端末の前記近接ベースサービスに対する使用量計測をすること
のうち少なくとも１つの動作を管理するように構成されることを有する、請求項５または６に記載の通信システム。
【請求項８】
前記第１のサービスサーバは、認可情報を前記端末に送信するようにさらに構成され、前記認可情報は、前記端末が前記近接ベースサービスを実行することを許可されることを示すためのネットワーク情報である、請求項５から７のいずれか一項に記載の通信システム。
【請求項９】
候補リソースから近接ベースサービスのための無線リソースを選択し、端末のホームネットワークにおける第１のサービスサーバに報告情報を送信するように構成される前記端末であって、前記報告情報は、前記端末が前記無線リソースを用いることによって前記近接ベースサービスを実行することを報告するためのものである、前記端末と、
前記報告情報を受信するように構成される前記第１のサービスサーバと
を備える
通信システム。
【請求項１０】
前記報告情報は、前記無線リソースが属するネットワークのネットワーク識別子を保持する、請求項９に記載の通信システム。
【請求項１１】
前記第１のサービスサーバは、前記報告情報に従って、前記端末により近接ベースサービスを実行するために用いられる無線リソースを認識し、前記無線リソースが、第２のサービスサーバが属するネットワークに属する場合、前記第２のサービスサーバに通知情報を送信するようにさらに構成され、前記通知情報は、前記端末が前記無線リソースを用いることによって前記近接ベースサービスを実行することを報告するためのものであり、前記第１のサービスサーバは、前記端末のホームネットワークにおけるサーバである、請求項９または１０に記載の通信システム。
【請求項１２】
前記第１のサービスサーバは、認可情報を前記端末に送信するようにさらに構成され、前記認可情報は、前記端末が前記近接ベースサービスを実行することを許可されることを示すためのネットワーク情報である、請求項９から１１のいずれか一項に記載の通信システム。
【請求項１３】
前記端末が候補リソースから近接ベースサービスのための無線リソースを選択するように構成されることは、
前記端末が、前記認可情報に従って前記候補リソースから前記無線リソースを選択するように構成されることを有する、請求項１２に記載の通信システム。
【請求項１４】
前記端末が前記認可情報に従って前記候補リソースから前記無線リソースを選択するように構成されることは、
前記候補リソースに対応するネットワーク情報が前記認可情報において保持されている前記ネットワーク情報と同じである場合、前記端末が、前記候補リソースを前記無線リソースとして選択するように構成されることを有する、請求項１３に記載の通信システム。
【手続補正３】
【補正対象書類名】明細書
【補正対象項目名】０１６２
【補正方法】変更
【補正の内容】
【０１６２】
割り当てユニット１３０２は、無線リソースを、第１の基地局によりサービスを提供される端末に割り当てるよう構成される。無線リソースは、端末により、無線リソースを用いることによって近接ベースサービスを実行するために用いられる。
【外国語明細書】
2019146222000001.pdf